(57)【要約】【課題】防水カメラ本体にレンズ保護透明部材を、保持部材を介してネジ止めする場合に、意匠的に見映えを良くし、且つネジ止めをより少ない部材で行う防水カメラの提供。【解決手段】撮影レンズ21と、鏡胴部26と、レンズ保護透明部材3と、レンズ保護透明部材を防水カメラ本体32に対して固定する環状保持部材43とを有する防水カメラにおいて、環状保持部材の内周側の後端面およびレンズ保護透明部材の外周側の後端面の双方にその一面が当接され、その他面が防水カメラ本体に当接された環状の第１の防水パッキン41と、環状保持部材の外周側の後端面にその一面が当接され、その他面が防水カメラ本体に当接された環状の第２の防水パッキン46とを備え、環状保持部材における第１および第２の防水パッキンが配置された中間部を、防水カメラ本体の内側から雄ネジ42によりネジ止めした。【選択図】図３
2009162976.tif 000002
【特許請求の範囲】
【請求項１】
撮影レンズを有する鏡胴部と、前記撮影レンズの前方に配置された円形のレンズ保護透明部材と、該レンズ保護透明部材の外周側を押圧して防水カメラ本体に対して固定する環状保持部材とを有する防水カメラにおいて、
前記環状保持部材の内周側の光軸方向後端面および前記レンズ保護透明部材の外周側の光軸方向後端面の双方にその一端側が当接され、その他端側が前記防水カメラ本体に当接された環状の第１の防水パッキンと、
前記環状保持部材の外周側の光軸方向後端面にその一端側が当接され、その他端側が前記防水カメラ本体に当接された環状の第２の防水パッキンとを備えてなり、
前記環状保持部材における前記第１の防水パッキンおよび前記第２の防水パッキンが配置された中間部を、前記防水カメラ本体の内側から雄ネジによりネジ止めしてなることを特徴とする防水カメラ。
【請求項２】
前記防水カメラ本体の内側からネジ止めした雄ネジは、防水カメラの光軸を中心にして同心円上に配置した複数の雄ネジであることを特徴とする請求項１記載の防水カメラ。
【請求項３】
前記環状保持部材の内周側面に雌ネジ部を螺設し、該雌ネジ部に螺入したコンバータレンズと前記環状保持部材の光軸方向前端面との当接部に、第３の防水パッキンを備えたことを特徴とする請求項１または請求項２記載の防水カメラ。
【請求項４】
前記防水カメラは、屈折光学系の防水カメラであることを特徴とする請求項１〜請求項３の何れかに記載の防水カメラ。
【請求項５】
撮影レンズを有する鏡胴部と、前記撮影レンズの前方に配置されたレンズ保護透明部材と、該レンズ保護透明部材を押圧して防水カメラ本体に対して固定する保持部材とを有する防水カメラにおいて、
前記保持部材と前記防水カメラ本体との間に介在させる１つ以上の防水パッキンからなる第１の防水パッキン群と、
前記レンズ保護透明部材と前記防水カメラ本体との間に介在させる第３の防水パッキンとを備えてなり、
前記保持部材における前記防水カメラ本体との当接面に雌ネジ部を螺設し、該雌ネジ部に対して前記防水カメラ本体の内側から螺入した雄ネジにより、前記保持部材を前記防水カメラ本体に固定してなることを特徴とする防水カメラ。
【発明の詳細な説明】
【技術分野】
【０００１】
本発明は、防水カメラに関し、より詳しくは、レンズ鏡胴の前面部にレンズ保護透明部材と環状保持部材とを有する防水カメラ、さらには、環状保持部材にコンバータレンズを防水状態で取り付け可能な防水カメラに関する。
【背景技術】
【０００２】
従来、例えばアウトドア・ライフ等に使用する防水カメラの防水性を高めるものとして、特許文献１の提案がある。
特許文献１は、撮影レンズ前方に配置されたレンズ保護透明部材と、防水カメラ前面カバーと、レンズ保護透明部材を防水カメラ前カバーに対して固定するように設けられた金属製の環状保持部材とを有している。そして、レンズ保護透明部材は、防水カメラ前面カバーに対して環状保持部材によって、光軸を中心にして同心円上に配置された複数のビスによって防水カメラ外方からビス止め固定されている。
また、レンズ保護透明部材は、環状保持部材と防水カメラ前カバーとの間で弾性Oリングを介して固定されている。
【０００３】
【特許文献１】特許第２７７９６２５号
【発明の開示】
【発明が解決しようとする課題】
【０００４】
しかしながら、特許文献１では、防水カメラ前面カバー（防水カメラ本体）にレンズ保護透明部材を、環状保持部材を介してネジ止めする場合に、防水カメラ外方からネジ止めしているために、ネジ頭が防水カメラ前方より見え、防水カメラが意匠的に見映えが良くないという問題点がある。
【０００５】
本発明は上記の問題を解決すべくなされたものであり、防水カメラ本体にレンズ保護透明部材を、保持部材を介してネジ止めする場合に、意匠的に見映えを良くし、且つネジ止めをより少ない部材で行う防水カメラの提供を目的とする。
【課題を解決するための手段】
【０００６】
この目的を達成するために請求項1記載の発明は、撮影レンズ（図３の21）を有する鏡胴部（26）と、前記撮影レンズ（21）の前方に配置された円形のレンズ保護透明部材（3）と、該レンズ保護透明部材（3）の外周側を押圧して防水カメラ本体（防水カメラ前カバー（32））に対して固定する環状保持部材（43）とを有する防水カメラにおいて、
前記環状保持部材（43）の内周側の光軸方向後端面および前記レンズ保護透明部材（3）の外周側の光軸方向後端面の双方にその一端側が当接され、その他端側が前記防水カメラ本体に当接された環状の第１の防水パッキン（41）と、
前記環状保持部材（43）の外周側の光軸方向後端面にその一端側が当接され、その他端側が前記防水カメラ本体に当接された環状の第２の防水パッキン（46）とを備えてなり、
前記環状保持部材（43）における前記第１の防水パッキン（41）および前記第２の防水パッキン（46）が配置された中間部を、前記防水カメラ本体の内側から雄ネジ(42)によりネジ止めしてなる構成としてある。
【０００７】
また、請求項２記載の発明は、前記防水カメラ本体の内側からネジ止めした雄ネジ(42)は、防水カメラの光軸を中心にして同心円上に配置した複数の雄ネジである構成としてある。
また、請求項３記載の発明は、前記環状保持部材（43）の内周側面に雌ネジ部（48）を螺設し、該雌ネジ部に螺入したコンバータレンズ(47)と前記環状保持部材の光軸方向前端面との当接部に、第３の防水パッキン（50)を備えた構成としてある。
また、請求項４記載の発明は、前記防水カメラは、屈折光学系（図５の(27)）の防水カメラである構成としてある。
【０００８】
また、請求項５記載の発明は、撮影レンズ（21）を有する鏡胴部（26）と、前記撮影レンズ（21）の前方に配置されたレンズ保護透明部材（図６〜図８の3）と、該レンズ保護透明部材（3）を押圧して防水カメラ本体（防水カメラ前カバー（32））に対して固定する保持部材（43）とを有する防水カメラにおいて、
前記保持部材（43）と前記防水カメラ本体との間に介在させる１つ以上の防水パッキンからなる第１の防水パッキン群(72，73，74，75)と、
前記レンズ保護透明部材と前記防水カメラ本体との間に介在させる第３の防水パッキン(71)とを備えてなり、
前記保持部材（43）における前記防水カメラ本体との当接面に雌ネジ部を螺設し、該雌ネジ部に対して前記防水カメラ本体の内側から螺入した雄ネジ(42)により、前記保持部材を前記防水カメラ本体に固定してなる構成としてある。
【発明の効果】
【０００９】
請求項１記載の発明によれば、撮影レンズを有する鏡胴部と、前記撮影レンズの前方に配置された円形のレンズ保護透明部材と、該レンズ保護透明部材の外周側を押圧して防水カメラ本体に対して固定する環状保持部材とを有する防水カメラにおいて、
前記環状保持部材の内周側の光軸方向後端面および前記レンズ保護透明部材の外周側の光軸方向後端面の双方にその一端側が当接され、その他端側が前記防水カメラ本体に当接された環状の第１の防水パッキンと、
前記環状保持部材の外周側の光軸方向後端面にその一端側が当接され、その他端側が前記防水カメラ本体に当接された環状の第２の防水パッキンとを備えてなり、
前記環状保持部材における前記第１の防水パッキンおよび前記第２の防水パッキンが配置された中間部を、前記防水カメラ本体の内側から雄ネジによりネジ止めしてなる構成としてあるので、
外部から雄ネジの頭部が見えないようにしつつ防水を実現でき、且つ少ない数のパッキンで防水を実現でき、更に防水カメラの組み立てが容易であるという効果を奏することができる。
【００１０】
また、請求項２記載の発明によれば、前記防水カメラ本体の内側からネジ止めした雄ネジは、防水カメラの光軸を中心にして同心円上に配置した複数の雄ネジである構成としてあるので、請求項１の効果に加えて、バランスよく環状保持部材などを防水カメラ本体に固定することができる。
【００１１】
また、請求項３記載の発明によれば、前記環状保持部材の内周側面に雌ネジ部を螺設し、該雌ネジ部に螺入したコンバータレンズと前記環状保持部材の光軸方向前端面との当接部に、第３の防水パッキンを備えた構成としてあるので、請求項１または請求項２の効果に加えて、コンバータレンズを使用する場合にも、防水効果を実現できる。
【００１２】
また、請求項４記載の発明によれば、前記防水カメラは、屈折光学系の防水カメラである構成としてあるので、防水カメラ全体の厚さを薄く構成することができ、且つ環状保持部材の直径を小さく構成することができる。因みに、特許文献１に記載のカメラは、沈胴式である。
【００１３】
また、請求項５記載の発明によれば、撮影レンズを有する鏡胴部と、前記撮影レンズの前方に配置されたレンズ保護透明部材と、該レンズ保護透明部材を押圧して防水カメラ本体に対して固定する保持部材とを有する防水カメラにおいて、
前記保持部材と前記防水カメラ本体との間に介在させる１つ以上の防水パッキンからなる第１の防水パッキン群と、
前記レンズ保護透明部材と前記防水カメラ本体との間に介在させる第３の防水パッキンとを備えてなり、
前記保持部材における前記防水カメラ本体との当接面に雌ネジ部を螺設し、該雌ネジ部に対して前記防水カメラ本体の内側から螺入した雄ネジにより、前記保持部材を前記防水カメラ本体に固定してなる構成としてあるので、外部から雄ネジの頭部が見えないようにしつつ防水を実現できるという効果がある。
【発明を実施するための最良の形態】
【００１４】
［第１の実施形態］
以下、本発明の「防水カメラ」の第１の実施形態を、図面に基いて説明する。
図１は防水カメラ本体（ここではデジタル防水カメラ本体）を示す図であって、（Ａ）は前方斜視図、（Ｂ）は後方斜視図である。
図２はデジタル防水カメラ本体にコンバータレンズを取り付ける前と後とを示す斜視図であって、（Ａ）は取り付ける前の図、（Ｂ）は取り付けた後の図である。
図３（Ａ）は図２（Ｂ）のI-I線に沿う垂直断面図であり、図３（Ｂ）は図３（Ａ）の要部Ａの拡大断面図である。
図４は図３（Ａ）の要部Ａにおいて、コンバータレンズを取り付ける前の状態を示した拡大断面図である。
図５は、図２（Ｂ）のII-II線に沿う水平断面図である。
【００１５】
図１（Ａ），（Ｂ）、図２（Ａ），（Ｂ）、図３（Ａ），（Ｂ）に示すように、デジタル防水カメラ本体（1）は、正面から見て左側が右手グリップ部（2）（図１（Ａ））であり、中央部には被写体光を取り込む第１レンズ（21）（図３（Ａ））を覆うレンズ保護透明部材（3）が、配設されている。
レンズ保護透明部材（3）は、防水カメラ前カバー（32）に対して、防水パッキン（41）（図３（Ａ），（Ｂ））を介して、光軸を中心にして同心円上に配置された複数のネジ（42）によって、防水カメラ前カバー（32）の内側（45）からネジ止めされた金属製の環状保持部材（43）によって押さえつけられて固定取り付けされている。また、環状保持部材（43）の斜め上方には、低照度での撮影等の場合に補助光を発するためのストロボ（4）が設けられている（図１（Ａ））。
【００１６】
デジタル防水カメラ本体（1）の上面には（図１（Ａ））、防水カメラの各種モードを選択する回転型モードダイヤル（5）と、防水カメラの電源をON／OFFする電源スイッチ（6）、シャッターボタン（7）、外部ストロボ等を取り付けるアクセサリシュー（8）が設けられている。
また、デジタル防水カメラ本体（1）の後面には（図１（Ｂ））、撮影画像を表示したり撮影モードを表示したりする液晶ディスプレイ（10）（図３（Ａ））の表示部（11）を覆う表示窓（12）、ズームボタン（13）、複数のモードスイッチ（14）が設けられている。
ズームボタン（13）は、望遠ボタン（14）、および広角ボタン（15）から構成されており、どちらか一方を押すことによってズーム駆動系が駆動し、ズームレンズである第３レンズ（24）（図５）が移動する。
【００１７】
図５に示すように、デジタル防水カメラ本体（1）の下面には、メモリーカード（16）と電池（17）を装着可能なカードスロット部（18）と電池室（19）を被う電池蓋（図示せず）が設けられている。
被写体光を取り込む撮影レンズ群（21），（22），（23），（24），（25）と鏡胴（26）から構成される屈折光学系（27）を、右手グリップ（2）側に内蔵している。屈折光学系（27）の右手グリップ側端（28a）には、被写体撮像信号を出力する撮像素子（29）が設置されている。
【００１８】
屈折光学系（27）の左手グリップ側(28b)の横には、メモリーカード（16）と電池（17）を装着可能なカードスロット部（18）と電池室（19）が配置されている。屈折光学系（27）とカードスロット部（18）と電池室（19）の後側には電装基板（31）が設けられ、その後方には液晶ディスプレイ（10）が配置されている。また、前カバー（32）と後カバー（33）との間には、防水パッキン（34）を挟んでいて防水構造になっている。
【００１９】
図５において、被写体光はレンズ保護透明部材（3）を通って屈折光学系（27）に入射され、第１レンズ（21）を通り、プリズム（22）によって右手グリップ（2）側に屈折する。プリズム（22）の次にはフォーカスレンズである第２レンズ（23）が設けられており、この位置調整をすることによってフォーカシングを行う。第２レンズ（23）の次にはズーム駆動系によって移動されるズームレンズである第３レンズ（24）が設けられている。第３レンズ（24）の次に設けられた第４レンズ（25）を通して被写体光は撮像素子（29）に入射される。上記第１から第４レンズは、鏡胴（26）内に収納されている。
【００２０】
鏡胴（26）の第１レンズ（21）前方に配置されたレンズ保護透明部材（3）は、前記防水カメラ前カバー（32）に対して、防水パッキン（41）（図３（Ｂ））を介して、光軸を中心にして同心円上に配置された複数のネジ（42）によって防水カメラ前カバー（32）の内側（45）からネジ止めされた金属製の環状保持部材（43）によって固定されている。
防水パッキン（41）の外周部（44）がさらに環状保持部材（43）と防水カメラ前カバー（32）との間にも挟まれている。また、環状保持部材（43）と防水カメラ前面カバー（32）との間に、同心円上に配置された複数のネジ（42）よりも外周側において、防水パッキン（46）を挟んで防水構造となっている。
【００２１】
図４に示すように、環状部材（43）の前方には、コンバータレンズ（47）を取り付けるためのネジ部（48）を有し、また、コンバータレンズ（47）の後端にも取付ネジ部（49）を有する。これらネジ部（48），（49）同士をネジ込むことにより、コンバータレンズ（47）がデジタル防水カメラ本体（1）に取り付けられる。コンバータレンズ（47）の取付ネジ部（49）の前方にはコンバータ防水パッキン（50）を有し、それが環状部材（43）の前面平面部（51）に押し付けられて防水構造とされる。
コンバータレンズ（47）自体は、第１レンズ（55）と第２レンズ（56）と前枠（57）と後枠（58）との間に、防水パッキン（59），（60）がそれぞれ挟まれていて、防水構造となっている。
【００２２】
［第２の実施形態］
次に、本発明の第２の実施形態を、図面に基いて説明する。
図６は、前記図３（Ａ），（Ｂ）に示した要部Ａと同様の拡大断面図である。
図６に示すように、レンズ保護透明部材（3）は、防水カメラ前面カバー（32）に対して、防水パッキン（71）を介して、光軸を中心にして同心円上に配置された複数のネジ（42）によって防水カメラ前面カバー（32）の内側（45）からネジ止めされた環状保持部材（43）によって固定されている。
【００２３】
そして、光軸を中心にして同心円上に配置された複数のネジ（42）よりも内周側に、環状保持部材（43）と防水カメラ前カバー（32）との間に防水パッキン（72）が挟まれ、その複数のネジ（42）よりも外周側に、環状保持部材（43）と防水カメラ前カバー（32）との間に防水パッキン（73）が挟まれて防水構造となっている。
また、環状部材（43）の前方にはコンバータレンズ（47）を取り付けるためのネジ部（48）を有し、コンバータレンズ（47）を第１の実施形態と同様に取り付け可能である。
【００２４】
［第３の実施形態］
次に、本発明の第３の実施形態を、図面に基いて説明する。
図７は、前記図３（Ａ），（Ｂ）に示した要部Ａと同様の拡大断面図である。
図７に示すように、レンズ保護透明部材（3）は、防水カメラ前カバー（32）に対して、防水パッキン（71）を介して、光軸を中心にして同心円上に配置された複数のネジ（42）によって、防水カメラ前カバー（32）の内側（45）からネジ止めされた環状保持部材（43）によって固定されている。
【００２５】
そして、光軸を中心にして同心円上に配置された複数のネジ（42）よりも内周側に、環状保持部材（43）と防水カメラ前カバー（32）との間に防水パッキン（72）が挟まれ、環状保持部材（43）と防水カメラ前面カバー（32）との間に複数のネジ（42）がそれぞれその略中心を通った複数の防水パッキン（74）が挟まれて防水構造となっている。
また、環状部材（43）の前方にはコンバータレンズ（47）を取り付けるためのネジ部（48）を有し、コンバータレンズ（47）を第１の実施形態と同様に取り付け可能である。
【００２６】
［第４の実施形態］
次に、本発明の第４の実施形態を、図面に基いて説明する。
図８は、前記図３（Ａ），（Ｂ）に示した要部Ａと同様の拡大断面図である。
前記第３の実施形態において、光軸を中心にして同心円上に配置された複数のネジ（42）がそれぞれその略中心を通った複数の防水パッキン（74）が、環状保持部材（43）と防水カメラ前面カバー（32）との間に挟まれている代わりに、防水カメラ前カバー（32）の内側（45）と光軸を中心にして同心円上に配置された複数のネジ（42）のネジ頭（75）の間に挟まれて防水構造となっている。
また、環状部材（43）の前方にはコンバータレンズ（47）を取り付けるためのネジ部（48）を有し、コンバータレンズ（47）を第１の実施形態と同様に取り付け可能である。
【図面の簡単な説明】
【００２７】
【図１】本発明を適用する実施形態のデジタル防水カメラ本体を示す図であって、（Ａ）は前方斜視図、（Ｂ）は後方斜視図である。
【図２】同デジタル防水カメラ本体にコンバータレンズを取り付ける前と後とを示す斜視図であって、（Ａ）は取り付ける前の図、（Ｂ）は取り付けた後の図である。
【図３】本発明の第１の実施形態を示す図であって、（Ａ）は図２（Ｂ）のI-I線に沿う垂直断面図であり、（Ｂ）は（Ａ）の要部Ａの拡大断面図である。
【図４】同第１の実施形態を示す図であって、図３（Ａ）の要部Ａにおいて、コンバータレンズを取り付ける前の状態を示した拡大断面図である。
【図５】同第１の実施形態を示す図であって、図２（Ｂ）のII-II線に沿う水平断面図である。
【図６】同第２の実施形態を示す図であって、図３（Ａ），（Ｂ）に示した要部Ａと同様の拡大断面図である。
【図７】同第３の実施形態を示す図であって、図３（Ａ），（Ｂ）に示した要部Ａと同様の拡大断面図である。
【図８】同第４の実施形態を示す図であって、図３（Ａ），（Ｂ）に示した要部Ａと同様の拡大断面図である。
【符号の説明】
【００２８】
１  デジタル防水カメラ本体
３  レンズ保護透明部材
１２  表示窓
２１  第１レンズ
２６  鏡胴
２７  屈折光学系
３２  防水カメラ前カバー
３３  防水カメラ後カバー
４１，４６，７１，７２，７３，７４  防水パッキン
４２  複数のネジ
４３  金属製の環状保持部材
４４  防水パッキン41の外周部
４５  防水カメラ前カバーの内側
４７  コンバータレンズ
４８  ネジ部
４９  取付ネジ部
５０  コンバータ防水パッキン
【図１】
2009162976.tif 000003
【図２】
2009162976.tif 000004
【図３】
2009162976.tif 000005
【図４】
2009162976.tif 000006
【図５】
2009162976.tif 000007
【図６】
2009162976.tif 000008
【図７】
2009162976.tif 000009
【図８】
2009162976.tif 000010